(57)【要約】      （修正有）【課題】取り付けが簡単で、落下防止効果が優れ、取り外しやすい落下防止灯具を提供する。 【解決手段】落下防止灯具は、灯具本体、連結部２、及び少なくとも１つの第１落下防止ワイヤーを有する。灯具本体は、その内部及び外部を連通する第１通路を有する。連結部２は、灯具本体に接続され、その内部及び外部を連通する第２通路を有し、その一端が灯具本体に接続され、もう一端が灯具取付箇所に接続される。第１落下防止ワイヤーは、第１通路及び第２通路に穿設され、それぞれ少なくとも１つの連接点を介して連結部２及び灯具本体に接続される。灯具本体と連結部２の間に落下防止装置を設けることで、取り付けが簡単で、落下防止効果が優れ、取り外しやすい。【選択図】図２
0003231829.tif 000002
【実用新案登録請求の範囲】
【請求項１】
灯具本体、連結部、及び少なくとも１つの第１落下防止ワイヤーを有し、
前記灯具本体は、その内部及び外部を連通する第１通路を有し、
前記連結部は、前記灯具本体に接続され、その内部及び外部を連通する第２通路を有し、前記連結部の一端が前記灯具本体に接続され、もう一端が灯具取付箇所に接続され、
前記第１落下防止ワイヤーは、前記第１通路及び前記第２通路に穿設され、それぞれ少なくとも１つの連接点を介して前記連結部及び前記灯具本体に接続されることを特徴とする、
落下防止灯具。
【請求項２】
前記第１落下防止ワイヤーは、第１連結部品及び／又は第２連結部品によって前記連結部に接続されることを特徴とする、請求項１に記載の落下防止灯具。
【請求項３】
前記第１連結部品は、連結ロッドであり、
前記連結ロッドは、前記連結部に設けられ、前記連結部の内部空洞を貫通することを特徴とする、
請求項２に記載の落下防止灯具。
【請求項４】
前記第２連結部品は、前記連結部内に設けられる第１取付孔、及び前記第１取付孔に設けられる第１ネジを有し、
前記第１落下防止ワイヤーは、前記第１ネジに接続されることを特徴とする、
請求項２に記載の落下防止灯具。
【請求項５】
前記第１落下防止ワイヤーは、前記連結ロッドに套設される前記第１環状部を有することを特徴とする、
請求項３に記載の落下防止灯具。
【請求項６】
前記連結部と前記灯具取付箇所との連結構造は取付筒であり、
前記連結ロッドは、径方向に前記取付筒に穿設されることを特徴とする、
請求項３に記載の落下防止灯具。
【請求項７】
前記取付筒は、軸方向にその筒壁に設けられる補強リブを有し、
前記連結ロッドの両端は、前記補強リブに穿設されることを特徴とする、
請求項６に記載の落下防止灯具。
【請求項８】
前記第１落下防止ワイヤーは、第３連結部品によって前記灯具本体に接続されることを特徴とする、
請求項１に記載の落下防止灯具。
【請求項９】
前記第３連結部品は、前記灯具本体内に設けられる第２取付孔、及び前記第２取付孔に設けられる第２ネジを有し、
前記第１落下防止ワイヤーは、前記第２ネジに接続されることを特徴とする、
請求項８に記載の落下防止灯具。
【請求項１０】
前記第１落下防止ワイヤーは、前記第２ネジに套設される第２環状部を有し、
前記第２ネジの頭部を前記第２環状部に押しつけることで、前記第１落下防止ワイヤーを前記灯具本体に接続することを特徴とする、
請求項９に記載の落下防止灯具。
【請求項１１】
前記第２ネジは、ガスケットを有し、
前記第２環状部は、前記ガスケットと前記第２ネジの頭部の間に設けられることを特徴とする、
請求項１０に記載の落下防止灯具。
【請求項１２】
前記灯具本体の外壁に第１取付部を有し、
前記連結部の外壁に前記第１取付部の形状に対応する第２取付部を有し、
前記灯具本体及び前記連結部は、前記第１取付部及び前記第２取付部によって互いに接続され、
前記第１通路の出口は、前記第１取付部箇所に位置し、
前記第２通路の出口は、前記第２取付部箇所に位置し、
前記第１取付部及び前記第２取付部を互いに接続した後、前記第１通路及び前記第２通路の出口がいずれも外部に閉じることを特徴とする、
請求項１〜１１のいずれか１項に記載の落下防止灯具。
【請求項１３】
第２落下防止ワイヤーを有し、
前記灯具本体は、互いに蓋合わせる第１ケース及び第２ケースを有し、
前記第１ケースは、第３取付孔、及び前記第３取付孔に設けられる第３ネジを有し、
前記第２ケースは、第４取付孔、及び前記第４取付孔に設けられる第４ネジを有し、
前記第２落下防止ワイヤーは、同時に前記第３ネジ及び前記第４ネジに接続されることを特徴とする、
請求項１〜１１のいずれか１項に記載の落下防止灯具。
【考案の詳細な説明】
【技術分野】
【０００１】
本実用新案は、灯具、特に落下防止灯具に関する。
【背景技術】
【０００２】
より容易に灯具を取り付けるために、従来の灯具は、大体、灯具本体を取り外しできる連結部によってロッド部に固定する。
地震が発生しやすい場所又は振動がある環境において、連結部と灯具本体との間のネジが緩み、灯具が落下する可能性がある。又は、取り付け工事では接続ネジをしっかり締めなかったために落下する可能性がある。そのため、灯具の落下防止のために、灯具に落下防止構造を設ける必要がある。
今までの灯具の落下防止装置は、灯具本体と連結部の間に設けるものではなく、一般的に灯具本体とロッド部の間に設けられるため、取り付けが難しく、取り外しにくい。
【考案の概要】
【考案が解決しようとする課題】
【０００３】
上記問題を解決するために、本実用新案の落下防止灯具は、灯具本体と連結部の間に落下防止装置を設けるものであり、取り付けが簡単で、落下防止効果に優れ、取り外しやすいものとする。
【課題を解決するための手段】
【０００４】
上記目的を実現するための本実用新案の落下防止灯具は、灯具本体、連結部、及び少なくとも１つの第１落下防止ワイヤーを有する。前記灯具本体は、その内部及び外部を連通する第１通路を有する。前記連結部は、前記灯具本体に接続され、その内部及び外部を連通する第２通路を有し、前記連結部の一端が前記灯具本体に接続され、もう一端が灯具取付箇所に接続される。前記第１落下防止ワイヤーは、前記第１通路及び前記第２通路に穿設され、それぞれ少なくとも１つの連接点を介して前記連結部及び前記灯具本体に接続される。
【０００５】
本実用新案の１つの実施例において、前記第１落下防止ワイヤーは、第１連結部品及び／又は第２連結部品によって前記連結部に接続される。
【０００６】
本実用新案の１つの実施例において、前記第１連結部品は、連結ロッドである。前記連結ロッドは、前記連結部に設けられ、前記連結部の内部空洞を貫通する。
【０００７】
本実用新案の１つの実施例において、前記第２連結部品は、前記連結部内に設けられる第１取付孔、及び前記第１取付孔に設けられる第１ネジを有する。前記第１落下防止ワイヤーは、前記第１ネジに接続される。
【０００８】
本実用新案の１つの実施例において、前記第１落下防止ワイヤーは、前記連結ロッドに套設される前記第１環状部を有する。
【０００９】
本実用新案の１つの実施例において、前記連結部と前記灯具取付箇所との連結構造は、取付筒である。前記連結ロッドは、径方向に前記取付筒に穿設される。
【００１０】
本実用新案の１つの実施例において、前記取付筒は、軸方向にその筒壁に設けられる補強リブを有する。前記連結ロッドの両端は、前記補強リブに穿設される。
【００１１】
本実用新案の１つの実施例において、前記第１落下防止ワイヤーは、第３連結部品によって前記灯具本体に接続される。
【００１２】
本実用新案の１つの実施例において、前記第３連結部品は、前記灯具本体内に設けられる第２取付孔、及び前記第２取付孔に設けられる第２ネジを有する。前記第１落下防止ワイヤーは、前記第２ネジに接続される。
【００１３】
本実用新案の１つの実施例において、前記第１落下防止ワイヤーは、前記第２ネジに套設される第２環状部を有する。前記第２ネジの頭部を前記第２環状部に押しつけることで、前記第１落下防止ワイヤーを前記灯具本体に接続する。
【００１４】
本実用新案の１つの実施例において、前記第２ネジは、ガスケットを有する。前記第２環状部は、前記ガスケットと前記第２ネジの頭部の間に設けられる。
【００１５】
本実用新案の１つの実施例において、前記灯具本体の外壁に第１取付部を有する。前記連結部の外壁に前記第１取付部の形状に対応する第２取付部を有する。前記灯具本体及び前記連結部は、前記第１取付部及び前記第２取付部によって互いに接続される。前記第１通路の出口は、前記第１取付部箇所に位置する。前記第２通路の出口は、前記第２取付部箇所に位置する。前記第１取付部及び前記第２取付部を互いに接続した後、前記第１通路及び前記第２通路の出口がいずれも外部に閉じる。
【００１６】
本実用新案の１つの実施例において、第２落下防止ワイヤーを有する。前記灯具本体は、互いに蓋合わせる第１ケース及び第２ケースを有する。前記第１ケースは、第３取付孔、及び前記第３取付孔に設けられる第３ネジを有する。前記第２ケースは、第４取付孔、及び前記第４取付孔に設けられる第４ネジを有する。前記第２落下防止ワイヤーは、同時に前記第３ネジ及び前記第４ネジに接続される。
【考案の効果】
【００１７】
従来技術と比べて、本実用新案は下記利点及び効果を有する。
（１）本実用新案の実施例において、灯具本体、連結部、第１落下防止ワイヤーを有し、第１落下防止ワイヤーが同時に連結部及び灯具本体に接続されるため、灯具本体が落下しても、第１落下防止ワイヤーを介して連結部に接続され、落下を防止できる。連結部によって第１落下防止ワイヤーを設けることで、全体の取り付けが簡単で、落下防止効果が優れ、取り外しやすい。
（２）本実用新案の実施例において、第１落下防止ワイヤー及び連結部は、第１連結部品及び／又は第２連結部品によって接続される。多種の連結構造によって接続されるため、連結の自由度を向上し、複数の連結構造によってより強固になる。
（３）本実用新案の実施例において、第１連結部品は、連結ロッドである。第１落下防止ワイヤーは、連結ロッドに接続することで連結部に接続する。連結ロッドを第１落下防止ワイヤーに接続することで、より強固になり、荷重能力が高く、落下防止効果が優れる。
（４）本実用新案の実施例において、連結部と灯具設置箇の連結構造は取付筒である。連結ロッドは、径方向に取付筒に穿設される。そのため、連結ロッドの取り付けがより簡単で、より強固になる。連結ロッドの両端は、補強リブに穿設される。そのため、補強リブの筒壁がより厚く、筒壁を損傷しないままに連結ロッドの荷重能力を向上できる。
（５）本実用新案の実施例において、第１落下防止ワイヤーは、連結ロッドに套設される第１環状部を有する。第１環状部によって連結ロッドに接続できるため、接続が簡単で、接続強度を向上できる。
（６）本実用新案の実施例において、第１落下防止ワイヤー及び灯具本体は、第３連結部品によって接続される。第３連結部品は、灯具本体に設けられる第２取付孔、及び第２取付孔に設けられる第２ネジを有する。第１落下防止ワイヤーは、第２ネジに接続される。第２ネジの頭部を第１落下防止ワイヤーを押しつけることで灯具本体に接続できるため、接続がより簡単である。
（７）本実用新案の実施例において、第１落下防止ワイヤーは、第２ネジに套設される第２環状部を有する。第２ネジの頭部を第２環状部に押し付けることで第１落下防止ワイヤーを灯具本体に接続できる。第２環状部をそのまま第２ネジに套設するだけで接続できるため、接続がより簡単で、より強固になる。
（８）本実用新案の実施例において、第２ネジは、ガスケットを有する。第２環状部は、ガスケットと第２ネジの頭部の間に設けられる。ガスケットによって摩擦力を増加し、接続がより簡単で、より強固になる。
（９）本実用新案の実施例において、第１取付部及び第２取付部を互いに接続した後、第１通路及び第２通路の出口いずれも外部に閉じる。すなわち、第１落下防止ワイヤーは、灯具本体と連結部との接合部の位置に穿設され、閉じた空洞の内部に位置する。そのため、第１落下防止ワイヤーは、常に落下防止灯具の内部にあり、外部との接触を避け、寿命を延ばし、外観がより美しくなる。
（１０）本実用新案の実施例において、灯具本体は、第１ケース及び第２ケースを有する。第１ケース及び第２ケースは、第３ネジ及び第４ネジによって第２落下防止ワイヤーに接続される。そのため、第１ケース又は第２ケースを開けたとしても落下を防止でき、灯具本体を取り付ける時の安全性を向上できる。
以下、図面を開示しながら本実用新案をより詳しく説明する。
【図面の簡単な説明】
【００１８】
【図１】本実用新案の落下防止灯具全体を示す模式図１である。
【図２】本実用新案の落下防止灯具を示す分解図１である。
【図３】本実用新案の落下防止灯具の第１ケースを示す模式図１である。
【図４】本実用新案の落下防止灯具の第１ケースを示す模式図２である。
【図５】本実用新案の落下防止灯具の連結部を示す模式図１である。
【図６】本実用新案の落下防止灯具の連結部を示す模式図２である。
【図７】本実用新案の落下防止灯具の第１落下防止ワイヤーを示す模式図である。
【図８】本実用新案の落下防止灯具を示す分解図２である。
【図９】本実用新案の落下防止灯具全体を示す模式図２である。
【図１０】本実用新案の落下防止灯具を示す局部拡大図である。
【考案を実施するための形態】
【００１９】
以下、図面及び具体的な実施例を開示しながら本実用新案の利点及び特徴を詳しく説明する。留意すべきことは、図面は、本実用新案の実施例を容易に説明するため、簡単な形で表現され、その比率も必ずしも実際と一致していない。
【００２０】
図１〜７を参照しながら説明する。本実用新案の落下防止灯具は、灯具本体１、連結部２、第１落下防止ワイヤー３を有する。灯具本体１及び連結部２は、取り外し可能に第１落下防止ワイヤー３によって接続される。本実用新案において、灯具本体１と連結部２の間に落下防止装置を設けるために、取り付けが簡単で、落下防止効果が優れ、取り外しやすい。灯具本体１が振動等によって連結部２から落下すること、又は取り付け工事では接続ネジをしっかり締めなかったために落下することを避ける。
【００２１】
図２〜４を参照しながら説明する。灯具本体１は、その内部及び外部を連通する第１通路５を有する。本実施例において、第１通路５は、灯具本体１の壁に設けられる貫通孔である。
【００２２】
図１、２、５、６を参照しながら説明する。連結部２は、その一端が灯具本体１に接続され、もう一端が灯具取付箇所に接続され、その内部及び外部を連通する第２通路６を有する。
【００２３】
少なくとも１つの第１落下防止ワイヤー３は、第１通路５及び第２通路６に穿設される。第１落下防止ワイヤー３は、同時に少なくとも１つの連接点を介して連結部２及び灯具本体１に接続される。即ち、第１落下防止ワイヤー３は、第１通路５を通って灯具本体１の外部に出る。第１落下防止ワイヤー３のもう一端は、第２通路６に穿設される。即ち、灯具本体１の第１通路５を通り抜けた第１落下防止ワイヤー３は、再び第２通路６から連結部２の内部に入れる。第１落下防止ワイヤー３のもう一端を連結部２の連接点に接続することで、第１落下防止ワイヤー３によって灯具本体１及び連結部２を接続し、灯具本体１の落下を防止できる。また、連結がより強固になるために、複数の第１落下防止ワイヤー３を利用して灯具本体１及び連結部２を接続してもよい。なお、連結がより強固になるために、第１落下防止ワイヤー３に複数の連接点を設け、灯具本体１及び連結部２を接続してもよい。
【００２４】
図２〜４を参照しながら説明する。第１落下防止ワイヤー３及び灯具本体１は、第３連結部品によって接続される。第３連結部品は、灯具本体１内に設けられる第２取付孔、及び第２取付孔に設けられる第２ネジ４を有する。第２取付孔は、灯具本体１の内部空洞の壁に設けてもよいが、内部の取り付け平面等の箇所に設けてもよい。第２ネジ４によって落下防止ワイヤーを固定、接続する。第２ネジ４の頭部を押しつけることで、第１落下防止ワイヤー３の一端を灯具本体１に接続できる。具体的には、第２ネジ４を第２取付孔にねじ込んで、第１落下防止ワイヤー３の一端を第２ネジ４の頭部と第２取付孔の上面との間に設け、第２ネジ４の締め付け力を利用し、第２ネジ４の頭部によって第１落下防止ワイヤー３を第２取付孔の上面に押しつけ、それらを接続できる。
【００２５】
他の実施例において、第１落下防止ワイヤー３を灯具本体１の内部に固定できれば、第２取付孔、及び第２ネジ４を他の固定部品に置換してもよい。
【００２６】
具体的には、第１落下防止ワイヤー３は、第１連結部品及び／又は第２連結部品によって連結部２に接続される。第２連結部品は、連結部２内に設けられる第１取付孔、及び第１取付孔に設けられる第１ネジ７を有する。第１落下防止ワイヤー３は、第１ネジ７に設けられる。即ち、第１ネジ７の頭部によって第１落下防止ワイヤー３を押しつけて連結部２に接続できる。具体的には、第１ネジ７を第１取付孔内にねじ込んで、第１落下防止ワイヤー３のもう一端を第１ネジ７頭部と第１取付孔の上面の間に設け、第１ネジ７の締め付け力を利用し、第１ネジ７の頭部によって第１落下防止ワイヤー３を第１取付孔の上面に押しつけ、それらを接続できる。
【００２７】
第１連結部品は、連結ロッド９である。連結ロッド９は、連結部２に設けられ、連結部２の内部空洞を貫通する。第１落下防止ワイヤー３のもう一端が連結ロッドに接続されるため、連結ロッド９を第１落下防止ワイヤー３に接続できる。そのため、連結がより強固になり、荷重能力が高く、落下防止効果が優れる。
【００２８】
更に、第１落下防止ワイヤー３の両端にそれぞれ第２環状部１５及び第１環状部３０を設ける。第２環状部１５は、第２ネジ４に套設され、その環状の形状がネジの頭部の形状に対応し、ネジの頭部全体を第２環状部１５に押しつけることができる。そのため、接続が簡単で、接続強度を向上できる。第１落下防止ワイヤー３のもう一端の第１環状部３０を連結ロッド９に套設できるため、接続が簡単で、接続強度を向上できる。なお、他の第２環状部１５又は第１環状部３０によって第１落下防止ワイヤー３と第１ネジ７を接続できる。
【００２９】
更に、第２ネジ４は、ガスケット８を有する。第１落下防止ワイヤー３一端の第２環状部１５は、ガスケット８と第２ネジ４の頭部の間に設けられる。同じく、第１ネジ７にガスケット８を設けてもよい。ガスケット８によって摩擦力及び固定力を向上し、第１落下防止ワイヤー３と灯具本体１及び連結部２との接続強度を向上できる。また、第２ネジ４をより容易に第１落下防止ワイヤー３の第２環状部１５に押し付けることができる。
【００３０】
具体的には、連結部２と灯具設置箇の連結構造は、取付筒１０である。灯具取付箇所がロッド部であり、取付筒１０がロッド部に套設され、連結ロッド９が径方向に取付筒１０に穿設される。即ち、連結ロッド９は、横方向に取付筒１０の内部空洞に穿設され、その両端が取付筒１０の筒壁に設けられる。本実施例において、連結ロッド９は、好ましくは直径１０ｍｍであるボルトである。それによって、連結ロッド９が高い強度を有し、そのままねじ構造によって取付筒１０に接続できる。そのため、取り付けがより簡単である。更に、取付筒１０筒壁は、その軸方向に延設される補強リブを有し、好ましくは、取付筒１０の外壁に設けられる対称の２本の縦方向の補強リブを有する。連結ロッド９の両端は、前記補強リブに穿設される。即ち、連結ロッド９は、その中の１本の補強リブ箇所に設けられる貫通孔から取付筒１０に入れて、もう１本の補強リブに設けられる貫通孔から出す。補強リブ箇所の筒壁がより厚いため、連結ロッド９の荷重能力を高める。そのため、灯具本体１が落下としても、連結ロッド９の作用力によって筒壁に損傷を与えない。また、前記補強リブ箇所に連結ロッド部の接続ネジをさらに有する。本実施例において、２つの接続ネジを有する。接続ネジは、前記補強リブを抜けてからロッド部のねじ構造に接続する。それによって、連結部２とロッド部を接続する。補強リブ箇所の壁がより厚いため、そこに接続ネジを設けると、接続強度がより大きく、ネジが緩めたり変形したりしにくい。
更に、取付筒１０の筒壁において、その外周に沿って設けるいくつの環状補強リブを有する。そのため、取付筒１０の強度を向上し、連結がより強固になる。
【００３１】
図２〜５を参照しながら説明する。本実用新案灯具本体１の実施例において、灯具本体１の外壁に第１取付部１１を有し、連結部２の外壁に第１取付部１１形状に対応する第２取付部１２を有し、灯具本体１及び連結部２は、第１取付部１１及び第２取付部１２によって互いに接続される。
【００３２】
具体的には、灯具本体１は、互いに蓋合わせる第１ケース１３及び第２ケース１４を有する。第１取付部１１は、第１ケース１３の外壁に設けられる。第１取付部１１は、第１ケース１３内に凹む第１空洞である。第１空洞は、第１ケース１３の本体の片側開口から離れる。第１通路５は、第１空洞におけるその開口側に対向する壁に設けられる貫通孔である。なお、前記貫通孔が２つある。第１通路５は、１つの又は複数の前記貫通孔からなる。前記壁は、連結部２に接続するためのネジ孔、及びワイヤーを通過するためのワイヤー通過用孔２０を有する。ワイヤー通過用孔２０にコネクタ、及び灯具本体１と連結部２を接続する時に位置決めるための４つの位置決め孔１９を有する。
【００３３】
第２取付部１２は、連結部２の外壁にある突出台である。前記突出台の形状は、第１空洞の形状に対応して弧状となる。突出台の２側に外に延伸する２つの突出部を有する。２つの突出部に取り付け貫通孔２１及び取り付けネジ２２を設ける。取り付けネジ２２は、前記取り付け貫通孔２１に設けられ、第１空洞壁上のネジ孔に接続される。このようにすると、連結部２と第１ケース１３を接続できる。
【００３４】
第２取付部１２の中間位置に連結部２内に凹む第２空洞を有する。第２空洞は、連結部２の本体の片側開口から離れる。第２空洞は、その開口側に対向する壁に取付筒１０の内部空洞に連通する貫通孔、並びに灯具本体１及び連結部２を接続する時に位置決めるための位置決め柱２９を有する。前記貫通孔は、ワイヤーを通過するために用いる。位置決め柱２９数が２つであり、灯具本体１の位置決め孔１９が４つある。連結部２の取り付け方法は、水平取り付け及び垂直取り付けの２種類があり、水平取り付けの場合に、２つの位置決め柱２９をその中の２つの位置決め孔１９に入れ、垂直取り付けの場合に、２つの位置決め柱２９を他の２つの位置決め孔１９に入れる。
【００３５】
具体的には、第１取付孔の第１ネジ７は、第２空洞においてその開口に対向する壁に設けられる。第２通路６は、第１取付孔箇所から第２空洞を経て連結部２の外部までの通路であってもよく、連結ロッド９箇所から上記第２空洞壁の貫通孔及び第２空洞を経て連結部２の外部までの通路であってもよい。連結ロッドは、取付筒１０における第２取付部１２に近い位置に設けられるため、灯具本体１により近くなり、第１落下防止ワイヤー３の接続がより簡単である。
【００３６】
即ち、第１通路５の出口は、第１取付部１１箇所に位置する。第２通路６の出口は、第２取付部１２箇所に位置する。第１取付部１１及び第２取付部１２を互いに接続した後、第１通路５及び第２通路６の出口は、いずれも外部に閉じる。そのため、第１落下防止ワイヤー３は、常に落下防止灯具の内部にあり、外部との接触を避け、寿命を延ばし、外観がより美しくなる。
【００３７】
図３〜４において、第２落下防止ワイヤーを有する。灯具本体１は、互いに蓋合わせる第１ケース１３及び第２ケース１４を有する。第１ケース１３は、第３取付孔１７及び第３取付孔１７に設けられる第３ネジを有する。第２ケース１４は、第４取付孔、及び第４取付孔に設けられる第４ネジを有する。第２落下防止ワイヤーの両端は、それぞれ第３ネジ及び第４ネジの頭部によって第１ケース１３及び第２ケース１４に押しつけて接続される。それによって、第２落下防止ワイヤーによって第１ケース１３及び第２ケース１４を接続できる。そのため、第２ケース１４の落下を防止できる。よって、第１ケース１３又は第２ケース１４を開けたとしても落下を防止でき、灯具本体１を取り付ける時の安全性を向上できる。
【００３８】
具体的には、第１ケース１３は、側壁に囲まれる電気空洞１８を有する。前記側壁の外周と第１ケース１３の周縁の間に収容溝を有する。第３取付孔１７及び第３ネジは、前記収容溝に設けられる。第２ケース１４における第３取付孔１７に対応する位置に第４取付孔及び第４ネジを設ける。
【００３９】
他の実施例において、第１ケース１３の電気空洞１８の側壁外の収容溝において、接地ネジ孔、及びアースネジ３１をさらに設ける。連結部２の第２空洞における開口に対向する壁に接地ネジ孔、及びアースネジ３１を設ける。灯具を保護するために、２箇所のアースネジ３１を導線によって接続して接地する。また、アースネジ３１を第１落下防止ワイヤー３の連接点とし、第１落下防止ワイヤー３をアースネジ３１に接続することで、連結部２に接続できる。取付筒１０は、ライニング套筒１６を有する。前記ライニング套筒１６を変えることで異なる径を有するロッド部に対応できる。
【００４０】
灯具本体１は、光源部品２３、ガラス２４、第１フレーム２５をさらに有する。光源部品２３は、第１ケース１３の光源取り付け面に設けられる。ガラス２４は、光源部品２３の上方に設けられ、第１フレーム２５及び第１ケース１３に固定される。ガラス２４は、光源部品２３を保護でき、例えば、油汚れ防止、防塵、セルフクリーニング等の効果を有する。また、眩しい対策としてガラス２４にアンチグレアパターンを設けてもよい。なお、ガラス２４を設けずに第２フレーム２６によって光源部品２３を密封してもよい。光源部品２３のレンズ２７の周縁と光源取り付け面の側壁２８との間にＶ溝を有する。前記Ｖ溝にシーラントを充填することで光源部品２３をさらに密封できる。
【００４１】
本実用新案において、落下防止ワイヤー数、及び落下防止ワイヤーと灯具本体１及び連結部２との間の連接点数について特に限定されず、複数の落下防止ワイヤー及び複数の連接点を設けてもよい。以下、上記実施例及びその他の実施例を挙げる。
【実施例１】
【００４２】
１つの第１落下防止ワイヤー３を有する。第１落下防止ワイヤー３の両端は、それぞれ灯具本体１内の第２ネジ４及び連結部２内の第１ネジ７に接続される。
【実施例２】
【００４３】
１つの第１落下防止ワイヤー３を有する。第１落下防止ワイヤー３の両端は、それぞれ灯具本体１内の第２ネジ４及び連結部２内の連結ロッド９に接続される。
【実施例３】
【００４４】
１つの第１落下防止ワイヤー３を有する。第１落下防止ワイヤー３の一端が灯具本体１内の第２ネジ４に接続され、もう一端が同時に連結部２内の第１ネジ７及び連結ロッド９に接続される。
同時に第１ネジ７及び連結ロッド９に接続することで連接点を増加し、連結がより強固になり、荷重能力を向上できる。
【実施例４】
【００４５】
２つの第１落下防止ワイヤー３を有する。１つの第１落下防止ワイヤー３の両端は、それぞれ灯具本体１内の第２ネジ４及び連結部２内の第１ネジ７に接続される。もう１つの第１落下防止ワイヤー３の両端は、それぞれ灯具本体１内の第２ネジ４及び連結部２内の連結ロッド９に接続される。
【００４６】
２つの第１落下防止ワイヤー３を設けることで、連結がより強固になる。
他の実施例において、複数の第１落下防止ワイヤー３、第２ネジ４、第１ネジ７、及び連結ロッド９を有する。実施例１〜４に基づいて、様々な種第１落下防止ワイヤー３、第２ネジ４、第１ネジ７、及び連結ロッド９の組合せを変更できる。
【００４７】
以上、図面を開示しながら本実用新案を詳しく説明するが、本実用新案は、それらに限定されない。本実用新案の明細書及び請求の範囲に基づいてなされた均等的な変更は、いずれも本実用新案に含む。
【符号の説明】
【００４８】
１  灯具本体
２  連結部
３  第１落下防止ワイヤー
４  第２ネジ
５  第１通路
６  第２通路
７  第１ネジ
８  ガスケット
９  連結ロッド
１０  取付筒
１１  第１取付部
１２  第２取付部
１３  第１ケース
１４  第２ケース
１５  第２環状部
１６  ライニング套筒
１７  第３取付孔
１８  電気空洞
１９  位置決め孔
２０  ワイヤー通過用孔
２１  取り付け貫通孔
２２  取り付けネジ
２３  光源部品
２４  ガラス
２５  第１フレーム
２６  第２フレーム
２７  レンズ
２８  光源取り付け面の側壁
２９  位置決め柱
３０  第１環状部
３１  アースネジ
【図１】
0003231829.tif 000003
【図２】
0003231829.tif 000004
【図３】
0003231829.tif 000005
【図４】
0003231829.tif 000006
【図５】
0003231829.tif 000007
【図６】
0003231829.tif 000008
【図７】
0003231829.tif 000009
【図８】
0003231829.tif 000010
【図９】
0003231829.tif 000011
【図１０】
0003231829.tif 000012
【手続補正書】
【提出日】令和3年2月22日(2021.2.22)
【手続補正１】
【補正対象書類名】実用新案登録請求の範囲
【補正対象項目名】全文
【補正方法】変更
【補正の内容】
【実用新案登録請求の範囲】
【請求項１】
灯具本体、連結部、及び少なくとも１つの第１落下防止ワイヤーを有し、
前記灯具本体は、その内部及び外部を連通する第１通路を有し、
前記連結部は、前記灯具本体に接続され、その内部及び外部を連通する第２通路を有し、前記連結部の一端が前記灯具本体に接続され、もう一端が灯具取付箇所に接続され、
前記第１落下防止ワイヤーは、前記第１通路及び前記第２通路に穿設され、それぞれ少なくとも１つの連接点を介して前記連結部及び前記灯具本体に接続されることを特徴とする、
落下防止灯具。
【請求項２】
前記第１落下防止ワイヤーは、第１連結部品及び／又は第２連結部品によって前記連結部に接続されることを特徴とする、請求項１に記載の落下防止灯具。
【請求項３】
前記第１連結部品は、連結ロッドであり、
前記連結ロッドは、前記連結部に設けられ、前記連結部の内部空洞を貫通することを特徴とする、
請求項２に記載の落下防止灯具。
【請求項４】
前記第２連結部品は、前記連結部内に設けられる第１取付孔、及び前記第１取付孔に設けられる第１ネジを有し、
前記第１落下防止ワイヤーは、前記第１ネジに接続されることを特徴とする、
請求項２に記載の落下防止灯具。
【請求項５】
前記第１落下防止ワイヤーは、前記連結ロッドに套設される第１環状部を有することを特徴とする、
請求項３に記載の落下防止灯具。
【請求項６】
前記連結部と前記灯具取付箇所との連結構造は取付筒であり、
前記連結ロッドは、径方向に前記取付筒に穿設されることを特徴とする、
請求項３に記載の落下防止灯具。
【請求項７】
前記取付筒は、軸方向にその筒壁に設けられる補強リブを有し、
前記連結ロッドの両端は、前記補強リブに穿設されることを特徴とする、
請求項６に記載の落下防止灯具。
【請求項８】
前記第１落下防止ワイヤーは、第３連結部品によって前記灯具本体に接続されることを特徴とする、
請求項１に記載の落下防止灯具。
【請求項９】
前記第３連結部品は、前記灯具本体内に設けられる第２取付孔、及び前記第２取付孔に設けられる第２ネジを有し、
前記第１落下防止ワイヤーは、前記第２ネジに接続されることを特徴とする、
請求項８に記載の落下防止灯具。
【請求項１０】
前記第１落下防止ワイヤーは、前記第２ネジに套設される第２環状部を有し、
前記第２ネジの頭部を前記第２環状部に押しつけることで、前記第１落下防止ワイヤーを前記灯具本体に接続することを特徴とする、
請求項９に記載の落下防止灯具。
【請求項１１】
前記第２ネジは、ガスケットを有し、
前記第２環状部は、前記ガスケットと前記第２ネジの頭部の間に設けられることを特徴とする、
請求項１０に記載の落下防止灯具。
【請求項１２】
前記灯具本体の外壁に第１取付部を有し、
前記連結部の外壁に前記第１取付部の形状に対応する第２取付部を有し、
前記灯具本体及び前記連結部は、前記第１取付部及び前記第２取付部によって互いに接続され、
前記第１通路の出口は、前記第１取付部の箇所に位置し、
前記第２通路の出口は、前記第２取付部の箇所に位置し、
前記第１取付部及び前記第２取付部を互いに接続した後、前記第１通路及び前記第２通路の出口がいずれも外部に閉じることを特徴とする、
請求項１〜１１のいずれか１項に記載の落下防止灯具。
【請求項１３】
第２落下防止ワイヤーを有し、
前記灯具本体は、互いに蓋合わせる第１ケース及び第２ケースを有し、
前記第１ケースは、第３取付孔、及び前記第３取付孔に設けられる第３ネジを有し、
前記第２ケースは、第４取付孔、及び前記第４取付孔に設けられる第４ネジを有し、
前記第２落下防止ワイヤーは、同時に前記第３ネジ及び前記第４ネジに接続されることを特徴とする、
請求項１〜１１のいずれか１項に記載の落下防止灯具。
【手続補正２】
【補正対象書類名】明細書
【補正対象項目名】０００８
【補正方法】変更
【補正の内容】
【０００８】
本実用新案の１つの実施例において、前記第１落下防止ワイヤーは、前記連結ロッドに套設される第１環状部を有する。
【手続補正３】
【補正対象書類名】明細書
【補正対象項目名】００１５
【補正方法】変更
【補正の内容】
【００１５】
本実用新案の１つの実施例において、前記灯具本体の外壁に第１取付部を有する。前記連結部の外壁に前記第１取付部の形状に対応する第２取付部を有する。前記灯具本体及び前記連結部は、前記第１取付部及び前記第２取付部によって互いに接続される。前記第１通路の出口は、前記第１取付部の箇所に位置する。前記第２通路の出口は、前記第２取付部の箇所に位置する。前記第１取付部及び前記第２取付部を互いに接続した後、前記第１通路及び前記第２通路の出口がいずれも外部に閉じる。
【手続補正４】
【補正対象書類名】明細書
【補正対象項目名】００３６
【補正方法】変更
【補正の内容】
【００３６】
即ち、第１通路５の出口は、第１取付部１１の箇所に位置する。第２通路６の出口は、第２取付部１２の箇所に位置する。第１取付部１１及び第２取付部１２を互いに接続した後、第１通路５及び第２通路６の出口は、いずれも外部に閉じる。そのため、第１落下防止ワイヤー３は、常に落下防止灯具の内部にあり、外部との接触を避け、寿命を延ばし、外観がより美しくなる。